(57)【要約】【課題】無線端末を無線ＬＡＮに接続するために必要な手間が掛からないようにする。【解決手段】設定情報配布サーバ２により、無線ＬＡＮ４へ接続するための設定情報を送信し、無線端末１により、アクセスポイント３からの電波を受信しこの電波よりアクセスポイントＩＤを取り出すとともに設定情報配布サーバ２より設定情報を受信し、この設定情報とアクセスポイントＩＤとをアクセスポイント３に送信しこのアクセスポイント３から無線ＬＡＮ４への接続承認信号を受信する。【選択図】      図１
2005065018.tif 000002
【特許請求の範囲】
【請求項１】
アクセスポイントを介して無線ＬＡＮに無線端末を接続する無線ＬＡＮ接続システムにおいて、
前記無線ＬＡＮへ接続するための設定情報を送信する設定情報配布サーバと、
前記アクセスポイントからの電波を受信しこの電波よりアクセスポイントＩＤを取り出すとともに前記設定情報配布サーバより前記設定情報を受信し、前記設定情報と前記アクセスポイントＩＤとを前記アクセスポイントに送信し前記アクセスポイントから前記無線ＬＡＮへの接続承認信号を受信する前記無線端末と、
を備えたことを特徴とする無線ＬＡＮ接続システム。
【請求項２】
アクセスポイントを介して無線ＬＡＮに無線端末を接続する無線ＬＡＮ接続システムにおいて、
前記無線ＬＡＮへ接続するための設定情報を暗号化した暗号化設定情報を送信する設定情報配布サーバと、
前記無線端末より前記暗号化設定情報を受信し、この暗号化設定情報を復号化して前記無線端末に送信する設定情報解読サーバと、
前記アクセスポイントからの電波を受信しこの電波よりアクセスポイントＩＤを取り出すとともに前記設定情報配布サーバより前記暗号化設定情報を受信し、この暗号化設定情報を前記設定情報解読サーバに送信しこの設定情報解読サーバより復号化された前記設定情報を受けこの設定情報と前記アクセスポイントＩＤとを前記アクセスポイントに送信しこのアクセスポイントから前記無線ＬＡＮへの接続承認信号を受信する前記無線端末と、
を備えたことを特徴とする無線ＬＡＮ接続システム。
【請求項３】
前記無線端末より無線端末ＩＤと前記暗号化設定情報とを受信し、前記無線端末ＩＤにより前記無線端末を認証し、認証された場合、前記暗号化設定情報を復号化して前記無線端末に送信する前記設定情報解読サーバと、
前記設定情報配布サーバより受信した前記暗号化設定情報と予め有する前記無線端末ＩＤとを前記設定情報解読サーバに送信しこの設定情報解読サーバより復号化された前記設定情報を受信する前記無線端末と、
を備えたことを特徴とする請求項２記載の無線ＬＡＮ接続システム。
【請求項４】
前記無線端末と前記設定情報解読サーバとは、前記無線ＬＡＮとは異なるネットワークにより接続するようにしたことを特徴とする請求項２又は３記載の無線ＬＡＮ接続システム。
【請求項５】
前記設定情報配布サーバは、前記設定情報を公開鍵により暗号化した前記暗号化設定情報を送信し、前記設定情報解読サーバは、前記暗号化設定情報を前記公開鍵に対応する秘密鍵を使用して復号化するようにしたことを特徴とする請求項２、３又は４記載の無線ＬＡＮ接続システム。
【請求項６】
前記設定情報配布サーバと前記無線端末とは、赤外線通信により接続するようにしたことを特徴とする請求項１、２、３、４又は５記載の無線ＬＡＮ接続システム。
【請求項７】
前記設定情報配布サーバと前記無線端末とは、ブルートゥース（登録商標）により接続するようにしたことを特徴とする請求項１、２、３、４又は５記載の無線ＬＡＮ接続システム。
【請求項８】
アクセスポイントを介して無線ＬＡＮに接続する無線端末において、
前記アクセスポイントの周辺に設置したバーコードを読み取りこのバーコードから前記無線ＬＡＮへ接続するための設定情報を取り出す読み取り手段と、
前記アクセスポイントからの電波を受信しこの電波よりアクセスポイントＩＤを取り出し、この取り出した前記アクセスポイントＩＤと前記読み取り手段が取り出した前記設定情報とを前記アクセスポイントに送信し前記アクセスポイントから前記無線ＬＡＮへの接続承認信号を受信する制御手段と、
を備えることを特徴とする無線端末。
【請求項９】
アクセスポイントを介して無線ＬＡＮに無線端末を接続する無線ＬＡＮ接続システムにおいて、
前記無線ＬＡＮへ接続するための設定情報を暗号化した暗号化設定情報を受けこの暗号化設定情報を復号化して前記無線端末に送信する設定情報解読サーバと、
前記アクセスポイントからの電波を受信しこの電波よりアクセスポイントＩＤを取り出し、前記アクセスポイントの周辺に設置したバーコードを読み取りこのバーコードから前記暗号化設定情報を取り出し、この暗号化設定情報を前記設定情報解読サーバに送信し、前記設定情報解読サーバより復号化された前記設定情報を受けこの設定情報と前記アクセスポイントＩＤとを前記アクセスポイントに送信し前記アクセスポイントから前記無線ＬＡＮへの接続承認信号を受信する前記無線端末と、
を備えることを特徴とする無線ＬＡＮ接続システム。
【請求項１０】
前記暗号化設定情報と予め有する無線端末ＩＤとを前記設定情報解読サーバに送信する前記無線端末と、
前記無線端末ＩＤにより前記無線端末を認証し、認証された場合、前記暗号化設定情報を復号化して前記無線端末に送信する前記設定情報解読サーバと、
を備えることを特徴とする請求項９記載の無線ＬＡＮ接続システム。
【請求項１１】
前記無線端末と前記設定情報解読サーバとは、前記無線ＬＡＮとは異なるネットワークにより接続するようにしたことを特徴とする請求項９又は１０記載の無線ＬＡＮ接続システム。
【請求項１２】
前記バーコードには、前記設定情報を公開鍵により暗号化した前記暗号化設定情報を予め記録しておき、前記設定情報解読サーバは、前記暗号化設定情報を前記公開鍵に対応する秘密鍵を使用して復号化するようにしたことを特徴とする請求項９、１０又は１１記載の無線ＬＡＮ接続システム。
【請求項１３】
アクセスポイントを介して無線ＬＡＮに接続する無線端末において、
前記アクセスポイントの周辺に設置したラジオフリークェンシーＩＤタグ（ＲＦーＩＤタグ）を読み取りこのＲＦーＩＤタグから前記無線ＬＡＮへ接続するための設定情報を取り出す読み取り手段と、
前記アクセスポイントからの電波を受信しこの電波よりアクセスポイントＩＤを取り出し、この取り出した前記アクセスポイントＩＤと前記読み取り手段が取り出した前記設定情報とを前記アクセスポイントに送信し前記アクセスポイントから前記無線ＬＡＮへの接続承認信号を受信する制御手段と、
を備えることを特徴とする無線端末。
【請求項１４】
アクセスポイントを介して無線ＬＡＮに無線端末を接続する無線ＬＡＮ接続システムにおいて、
前記無線ＬＡＮへ接続するための設定情報を暗号化した暗号化設定情報を受けこの暗号化設定情報を復号化して前記無線端末に送信する設定情報解読サーバと、
前記アクセスポイントからの電波を受信しこの電波よりアクセスポイントＩＤを取り出し、前記アクセスポイントの周辺に設置したラジオフリークェンシーＩＤタグ（ＲＦーＩＤタグ）を読み取りこのＲＦーＩＤタグから前記暗号化設定情報を取り出し、この暗号化設定情報を前記設定情報解読サーバに送信し、前記設定情報解読サーバより復号化された前記設定情報を受けこの設定情報と前記アクセスポイントＩＤとを前記アクセスポイントに送信し前記アクセスポイントから前記無線ＬＡＮへの接続承認信号を受信する前記無線端末と、
を備えることを特徴とする無線ＬＡＮ接続システム。
【請求項１５】
前記暗号化設定情報と予め有する無線端末ＩＤとを前記設定情報解読サーバに送信する前記無線端末と、
前記無線端末ＩＤにより前記無線端末を認証し、認証された場合、前記暗号化設定情報を復号化して前記無線端末に送信する前記設定情報解読サーバと、
を備えることを特徴とする請求項１４記載の無線ＬＡＮ接続システム。
【請求項１６】
前記無線端末と前記設定情報解読サーバとは、前記無線ＬＡＮとは異なるネットワークにより接続するようにしたことを特徴とする請求項１４又は１５記載の無線ＬＡＮ接続システム。
【請求項１７】
前記ＲＦーＩＤタグには、前記設定情報を公開鍵により暗号化した前記暗号化設定情報を予め記録しておき、前記設定情報解読サーバは、前記暗号化設定情報を前記公開鍵に対応する秘密鍵を使用して復号化するようにしたことを特徴とする請求項１４、１５又は１６記載の無線ＬＡＮ接続システム。
【請求項１８】
アクセスポイントを介して無線ＬＡＮに無線端末を接続する無線ＬＡＮ接続方法において、
前記無線端末により、前記アクセスポイントからの電波を受信しこの電波よりアクセスポイントＩＤを取り出すステップと、
前記無線端末により、前記無線ＬＡＮへ接続するための設定情報を配布する設定情報配布サーバが送信している前記設定情報を受信するステップと、
前記無線端末により、前記設定情報と前記アクセスポイントＩＤとを前記アクセスポイントに送信し前記アクセスポイントから前記無線ＬＡＮへの接続承認信号を受信するステップと、
を含むことを特徴とする無線ＬＡＮ接続方法。
【請求項１９】
アクセスポイントを介して無線ＬＡＮに無線端末を接続する無線ＬＡＮ接続方法において、
前記無線端末により、前記アクセスポイントからの電波を受信しこの電波よりアクセスポイントＩＤを取り出すステップと、
前記無線端末により、前記無線ＬＡＮへ接続するための設定情報を暗号化した暗号化設定情報を配布する設定情報配布サーバが送信している前記暗号化設定情報を受けるステップと、
前記無線端末により、前記暗号化設定情報を解読する設定情報解読サーバに前記暗号化設定情報を送信するステップと、
前記設定情報解読サーバにより、前記暗号化設定情報を復号化して前記無線端末に送信するステップと、 
前記無線端末により、復号化された前記設定情報を受けこの設定情報と前記アクセスポイントＩＤとを前記アクセスポイントに送信し前記アクセスポイントから前記無線ＬＡＮへの接続承認信号を受信するステップと、
を含むことを特徴とする無線ＬＡＮ接続方法。
【請求項２０】
前記無線端末により、前記設定情報解読サーバに前記暗号化設定情報を送信する前記ステップは、前記無線端末により、前記暗号化設定情報と予め有する無線端末ＩＤとを前記設定情報解読サーバに送信するようにし、
前記設定情報解読サーバにより前記暗号化設定情報を復号化して前記無線端末に送信する前記ステップは、前記設定情報解読サーバにより、前記無線端末ＩＤにより前記無線端末を認証し、認証された場合、前記暗号化設定情報を復号化して前記無線端末に送信するようにしたことを特徴とする請求項１９記載の無線ＬＡＮ接続方法。
【請求項２１】
前記無線端末と前記設定情報解読サーバとは、前記無線ＬＡＮとは異なるネットワークにより接続するようにしたことを特徴とする請求項１９又は２０記載の無線ＬＡＮ接続方法。
【請求項２２】
前記設定情報配布サーバは、前記設定情報を公開鍵により暗号化した前記暗号化設定情報を送信し、前記設定情報解読サーバは、前記暗号化設定情報を前記公開鍵に対応する秘密鍵を使用して復号化するようにしたことを特徴とする請求項１９、２０又は２１記載の無線ＬＡＮ接続方法。
【請求項２３】
前記設定情報配布サーバと前記無線端末とは、赤外線通信により接続するようにしたことを特徴とする請求項１８、１９、２０、２１又は２２記載の無線ＬＡＮ接続方法。
【請求項２４】
前記設定情報配布サーバと前記無線端末とは、ブルートゥースにより接続するようにしたことを特徴とする請求項１８、１９、２０、２１又は２２記載の無線ＬＡＮ接続方法。
【請求項２５】
アクセスポイントを介して無線ＬＡＮに無線端末を接続する無線ＬＡＮ接続方法において、
前記無線端末により、前記アクセスポイントからの電波を受信しこの電波よりアクセスポイントＩＤを取り出すステップと、
前記無線端末に予め備えた読み取り装置により、前記アクセスポイントの周辺に設置したバーコードを読み取りこのバーコードから前記無線ＬＡＮへ接続するための設定情報を取り出すステップと、
前記無線端末により、前記設定情報と前記アクセスポイントＩＤとを前記アクセスポイントに送信し前記アクセスポイントから前記無線ＬＡＮへの接続承認信号を受信するステップと、
を含むことを特徴とする無線ＬＡＮ接続方法。
【請求項２６】
アクセスポイントを介して無線ＬＡＮに無線端末を接続する無線ＬＡＮ接続方法において、
前記無線端末により、前記アクセスポイントからの電波を受信しこの電波よりアクセスポイントＩＤを取り出すステップと、
前記無線端末に予め備えた読み取り装置により、前記アクセスポイントの周辺に設置したバーコードを読み取りこのバーコードから前記無線ＬＡＮへ接続するための設定情報を暗号化した暗号化設定情報を取り出すステップと、
前記無線端末により、前記暗号化設定情報を解読する設定情報解読サーバに前記暗号化設定情報を送信するステップと、
前記設定情報解読サーバにより、前記暗号化設定情報を復号化して前記無線端末に送信するステップと、 
前記無線端末により、復号化された前記設定情報を受けこの設定情報と前記アクセスポイントＩＤとを前記アクセスポイントに送信し前記アクセスポイントから前記無線ＬＡＮへの接続承認信号を受信するステップと、
を含むことを特徴とする無線ＬＡＮ接続方法。
【請求項２７】
前記無線端末により、前記設定情報解読サーバに前記暗号化設定情報を送信する前記ステップは、前記無線端末により、前記暗号化設定情報と予め有する無線端末ＩＤとを前記設定情報解読サーバに送信するようにし、
前記設定情報解読サーバにより前記暗号化設定情報を復号化して前記無線端末に送信する前記ステップは、前記設定情報解読サーバにより、前記無線端末ＩＤにより前記無線端末を認証し、認証された場合、前記暗号化設定情報を復号化して前記無線端末に送信するようにしたことを特徴とする請求項２６記載の無線ＬＡＮ接続方法。
【請求項２８】
前記無線端末と前記設定情報解読サーバとは、前記無線ＬＡＮとは異なるネットワークにより接続するようにしたことを特徴とする請求項２６又は２７記載の無線ＬＡＮ接続方法。
【請求項２９】
前記バーコードには、前記設定情報を公開鍵により暗号化した前記暗号化設定情報を予め記録しておき、前記設定情報解読サーバは、前記読み取り装置が前記バーコードより取り出した前記暗号化設定情報を前記公開鍵に対応する秘密鍵を使用して復号化するようにしたことを特徴とする請求項２６、２７又は２８記載の無線ＬＡＮ接続方法。
【請求項３０】
アクセスポイントを介して無線ＬＡＮに無線端末を接続する無線ＬＡＮ接続方法において、
前記無線端末により、前記アクセスポイントからの電波を受信しこの電波よりアクセスポイントＩＤを取り出すステップと、
前記無線端末に予め備えた読み取り装置により、前記アクセスポイントの周辺に設置したラジオフリークェンシーＩＤタグ（ＲＦーＩＤタグ）を読み取りこのＲＦーＩＤタグから前記無線ＬＡＮへ接続するための設定情報を取り出すステップと、
前記無線端末により、前記設定情報と前記アクセスポイントＩＤとを前記アクセスポイントに送信し前記アクセスポイントから前記無線ＬＡＮへの接続承認信号を受信するステップと、
を含むことを特徴とする無線ＬＡＮ接続方法。
【請求項３１】
アクセスポイントを介して無線ＬＡＮに無線端末を接続する無線ＬＡＮ接続方法において、
前記無線端末により、前記アクセスポイントからの電波を受信しこの電波よりアクセスポイントＩＤを取り出すステップと、
前記無線端末に予め備えた読み取り装置により、前記アクセスポイントの周辺に設置したラジオフリークェンシーＩＤタグ（ＲＦーＩＤタグ）を読み取りこのＲＦーＩＤタグから前記無線ＬＡＮへ接続するための設定情報を暗号化した暗号化設定情報を取り出すステップと、
前記無線端末により、前記暗号化設定情報を解読する設定情報解読サーバに前記暗号化設定情報を送信するステップと、
前記設定情報解読サーバにより、前記暗号化設定情報を復号化して前記無線端末に送信するステップと、 
前記無線端末により、復号化された前記設定情報を受けこの設定情報と前記アクセスポイントＩＤとを前記アクセスポイントに送信し前記アクセスポイントから前記無線ＬＡＮへの接続承認信号を受信するステップと、
を含むことを特徴とする無線ＬＡＮ接続方法。
【請求項３２】
前記無線端末により、前記設定情報解読サーバに前記暗号化設定情報を送信する前記ステップは、前記無線端末により、前記暗号化設定情報と予め有する無線端末ＩＤとを前記設定情報解読サーバに送信するようにし、
前記設定情報解読サーバにより前記暗号化設定情報を復号化して前記無線端末に送信する前記ステップは、前記設定情報解読サーバにより、前記無線端末ＩＤにより前記無線端末を認証し、認証された場合、前記暗号化設定情報を復号化して前記無線端末に送信するようにしたことを特徴とする請求項３１記載の無線ＬＡＮ接続方法。
【請求項３３】
前記無線端末と前記設定情報解読サーバとは、前記無線ＬＡＮとは異なるネットワークにより接続するようにしたことを特徴とする請求項３１又は３２記載の無線ＬＡＮ接続方法。
【請求項３４】
前記ＲＦーＩＤタグには、前記設定情報を公開鍵により暗号化した前記暗号化設定情報を予め記録しておき、前記設定情報解読サーバは、前記読み取り装置が前記ＲＦーＩＤタグより取り出した前記暗号化設定情報を前記公開鍵に対応する秘密鍵を使用して復号化するようにしたことを特徴とする請求項３１、３２又は３３記載の無線ＬＡＮ接続方法。
【発明の詳細な説明】
【技術分野】
【０００１】
本発明は無線ＬＡＮ接続システム、無線ＬＡＮ接続方法及び無線端末に関し、特にアクセスポイントを介して無線ＬＡＮに接続する無線ＬＡＮ接続システム、無線ＬＡＮ接続方法及び無線端末に関する。
【背景技術】
【０００２】
従来、この種の無線ＬＡＮ接続システムは、無線ＬＡＮに接続するための設定情報を格納したＩＣカードを無線端末に接続し、無線端末はこのＩＣカードから設定情報を読み取りこの設定情報を使用して無線ＬＡＮに接続するようにしている（例えば、特許文献１参照）。
【０００３】
【特許文献１】特開２００２−３１８７８８号公報（請求項１、図１）
【発明の開示】
【発明が解決しようとする課題】
【０００４】
上述した従来の無線ＬＡＮ接続システムは、無線端末を無線ＬＡＮに接続するときに設定情報を格納したＩＣカードを無線端末に接続するため、ＩＣカードという物理媒体が必要となる。
【０００５】
このため、無線端末のユーザは、無線端末を無線ＬＡＮに接続するときに、接続を希望する無線ＬＡＮの設定情報をこの無線端末に読み取らせるために、この無線ＬＡＮの設定情報を格納したＩＣカードを、ユーザが予め保管している中から探し出して無線端末に接続する必要がある。このとき、無線端末に他のＩＣカードが入っているときには、このカードを抜き取り、探し出したＩＣカードを接続する等のＩＣカードの交換が必要となる。また、これらのＩＣカードを保管、管理する必要がある。
【０００６】
このように、従来の無線ＬＡＮ接続システムは、ＩＣカードを探し出して接続したり、ＩＣカードを交換したり、ＩＣカードを保管、管理する必要があり、無線端末を無線ＬＡＮに接続するために必要な手間が多く煩わしいという問題がある。
【０００７】
本発明の目的はこのような従来の欠点を除去するため、無線端末を無線ＬＡＮに接続するために必要な手間が掛からず煩わしくない無線ＬＡＮ接続システム、無線ＬＡＮ接続方法及び無線端末を提供することにある。
【課題を解決するための手段】
【０００８】
本発明の第１の無線ＬＡＮ接続システムは、アクセスポイントを介して無線ＬＡＮに無線端末を接続する無線ＬＡＮ接続システムにおいて、
前記無線ＬＡＮへ接続するための設定情報を送信する設定情報配布サーバと、
前記アクセスポイントからの電波を受信しこの電波よりアクセスポイントＩＤを取り出すとともに前記設定情報配布サーバより前記設定情報を受信し、前記設定情報と前記アクセスポイントＩＤとを前記アクセスポイントに送信し前記アクセスポイントから前記無線ＬＡＮへの接続承認信号を受信する前記無線端末と、
を備えて構成されている。
【０００９】
本発明の第２の無線ＬＡＮ接続システムは、アクセスポイントを介して無線ＬＡＮに無線端末を接続する無線ＬＡＮ接続システムにおいて、
前記無線ＬＡＮへ接続するための設定情報を暗号化した暗号化設定情報を送信する設定情報配布サーバと、
前記無線端末より前記暗号化設定情報を受信し、この暗号化設定情報を復号化して前記無線端末に送信する設定情報解読サーバと、
前記アクセスポイントからの電波を受信しこの電波よりアクセスポイントＩＤを取り出すとともに前記設定情報配布サーバより前記暗号化設定情報を受信し、この暗号化設定情報を前記設定情報解読サーバに送信しこの設定情報解読サーバより復号化された前記設定情報を受けこの設定情報と前記アクセスポイントＩＤとを前記アクセスポイントに送信しこのアクセスポイントから前記無線ＬＡＮへの接続承認信号を受信する前記無線端末と、
を備えて構成されている。
【００１０】
また、本発明の第２の無線ＬＡＮ接続システムは、前記無線端末より無線端末ＩＤと前記暗号化設定情報とを受信し、前記無線端末ＩＤにより前記無線端末を認証し、認証された場合、前記暗号化設定情報を復号化して前記無線端末に送信する前記設定情報解読サーバと、
前記設定情報配布サーバより受信した前記暗号化設定情報と予め有する前記無線端末ＩＤとを前記設定情報解読サーバに送信しこの設定情報解読サーバより復号化された前記設定情報を受信する前記無線端末と、
を備えて構成されている。
【００１１】
更に、本発明の第２の無線ＬＡＮ接続システムの前記無線端末と前記設定情報解読サーバとは、前記無線ＬＡＮとは異なるネットワークにより接続するようにしている。
【００１２】
また、本発明の第２の無線ＬＡＮ接続システムの前記設定情報配布サーバは、前記設定情報を公開鍵により暗号化した前記暗号化設定情報を送信し、前記設定情報解読サーバは、前記暗号化設定情報を前記公開鍵に対応する秘密鍵を使用して復号化するようにしている。
【００１３】
更に、本発明の第１と第２の無線ＬＡＮ接続システムの前記設定情報配布サーバと前記無線端末とは、赤外線通信により接続するようにしている。
【００１４】
また、本発明の第１と第２の無線ＬＡＮ接続システムの前記設定情報配布サーバと前記無線端末とは、ブルートゥース（登録商標）により接続するようにしている。
【００１５】
本発明の第１の無線端末は、アクセスポイントを介して無線ＬＡＮに接続する無線端末において、
前記アクセスポイントの周辺に設置したバーコードを読み取りこのバーコードから前記無線ＬＡＮへ接続するための設定情報を取り出す読み取り手段と、
前記アクセスポイントからの電波を受信しこの電波よりアクセスポイントＩＤを取り出し、この取り出した前記アクセスポイントＩＤと前記読み取り手段が取り出した前記設定情報とを前記アクセスポイントに送信し前記アクセスポイントから前記無線ＬＡＮへの接続承認信号を受信する制御手段と、
を備えて構成されている。
【００１６】
本発明の第２の無線端末は、アクセスポイントを介して無線ＬＡＮに接続する無線端末において、
前記アクセスポイントの周辺に設置したラジオフリークェンシーＩＤタグ（ＲＦーＩＤタグ）を読み取りこのＲＦーＩＤタグから前記無線ＬＡＮへ接続するための設定情報を取り出す読み取り手段と、
前記アクセスポイントからの電波を受信しこの電波よりアクセスポイントＩＤを取り出し、この取り出した前記アクセスポイントＩＤと前記読み取り手段が取り出した前記設定情報とを前記アクセスポイントに送信し前記アクセスポイントから前記無線ＬＡＮへの接続承認信号を受信する制御手段と、
を備えて構成されている。
【００１７】
本発明の第３の無線ＬＡＮ接続システムは、アクセスポイントを介して無線ＬＡＮに無線端末を接続する無線ＬＡＮ接続システムにおいて、
前記無線ＬＡＮへ接続するための設定情報を暗号化した暗号化設定情報を受けこの暗号化設定情報を復号化して前記無線端末に送信する設定情報解読サーバと、
前記アクセスポイントからの電波を受信しこの電波よりアクセスポイントＩＤを取り出し、前記アクセスポイントの周辺に設置したバーコードを読み取りこのバーコードから前記暗号化設定情報を取り出し、この暗号化設定情報を前記設定情報解読サーバに送信し、前記設定情報解読サーバより復号化された前記設定情報を受けこの設定情報と前記アクセスポイントＩＤとを前記アクセスポイントに送信し前記アクセスポイントから前記無線ＬＡＮへの接続承認信号を受信する前記無線端末と、
を備えて構成されている。
【００１８】
本発明の第４の無線ＬＡＮ接続システムは、アクセスポイントを介して無線ＬＡＮに無線端末を接続する無線ＬＡＮ接続システムにおいて、
前記無線ＬＡＮへ接続するための設定情報を暗号化した暗号化設定情報を受けこの暗号化設定情報を復号化して前記無線端末に送信する設定情報解読サーバと、
前記アクセスポイントからの電波を受信しこの電波よりアクセスポイントＩＤを取り出し、前記アクセスポイントの周辺に設置したラジオフリークェンシーＩＤタグ（ＲＦーＩＤタグ）を読み取りこのＲＦーＩＤタグから前記暗号化設定情報を取り出し、この暗号化設定情報を前記設定情報解読サーバに送信し、前記設定情報解読サーバより復号化された前記設定情報を受けこの設定情報と前記アクセスポイントＩＤとを前記アクセスポイントに送信し前記アクセスポイントから前記無線ＬＡＮへの接続承認信号を受信する前記無線端末と、
を備えて構成されている。
【００１９】
本発明の第１の無線ＬＡＮ接続方法は、アクセスポイントを介して無線ＬＡＮに無線端末を接続する無線ＬＡＮ接続方法において、
前記無線端末により、前記アクセスポイントからの電波を受信しこの電波よりアクセスポイントＩＤを取り出すステップと、
前記無線端末により、前記無線ＬＡＮへ接続するための設定情報を配布する設定情報配布サーバが送信している前記設定情報を受信するステップと、
前記無線端末により、前記設定情報と前記アクセスポイントＩＤとを前記アクセスポイントに送信し前記アクセスポイントから前記無線ＬＡＮへの接続承認信号を受信するステップと、
を含んで構成されている。
【００２０】
本発明の第２の無線ＬＡＮ接続方法は、アクセスポイントを介して無線ＬＡＮに無線端末を接続する無線ＬＡＮ接続方法において、
前記無線端末により、前記アクセスポイントからの電波を受信しこの電波よりアクセスポイントＩＤを取り出すステップと、
前記無線端末により、前記無線ＬＡＮへ接続するための設定情報を暗号化した暗号化設定情報を配布する設定情報配布サーバが送信している前記暗号化設定情報を受けるステップと、
前記無線端末により、前記暗号化設定情報を解読する設定情報解読サーバに前記暗号化設定情報を送信するステップと、
前記設定情報解読サーバにより、前記暗号化設定情報を復号化して前記無線端末に送信するステップと、 
前記無線端末により、復号化された前記設定情報を受けこの設定情報と前記アクセスポイントＩＤとを前記アクセスポイントに送信し前記アクセスポイントから前記無線ＬＡＮへの接続承認信号を受信するステップと、
を含んで構成されている。
【００２１】
また、本発明の第２の無線ＬＡＮ接続方法は、前記無線端末により、前記設定情報解読サーバに前記暗号化設定情報を送信する前記ステップは、前記無線端末により、前記暗号化設定情報と予め有する無線端末ＩＤとを前記設定情報解読サーバに送信するようにし、
前記設定情報解読サーバにより前記暗号化設定情報を復号化して前記無線端末に送信する前記ステップは、前記設定情報解読サーバにより、前記無線端末ＩＤにより前記無線端末を認証し、認証された場合、前記暗号化設定情報を復号化して前記無線端末に送信するようにしている。
【００２２】
更に、本発明の第２の無線ＬＡＮ接続方法は、前記無線端末と前記設定情報解読サーバとは、前記無線ＬＡＮとは異なるネットワークにより接続するようにしている。
【００２３】
また、本発明の第２の無線ＬＡＮ接続方法において、前記設定情報配布サーバは、前記設定情報を公開鍵により暗号化した前記暗号化設定情報を送信し、前記設定情報解読サーバは、前記暗号化設定情報を前記公開鍵に対応する秘密鍵を使用して復号化するようにしている。
【００２４】
また、本発明の第１と第２の無線ＬＡＮ接続方法において、前記設定情報配布サーバと前記無線端末とは、赤外線通信により接続するようにしている。
【００２５】
更に、本発明の第１と第２の無線ＬＡＮ接続方法において、前記設定情報配布サーバと前記無線端末とは、ブルートゥースにより接続するようにしている。
【００２６】
本発明の第３の無線ＬＡＮ接続方法は、アクセスポイントを介して無線ＬＡＮに無線端末を接続する無線ＬＡＮ接続方法において、
前記無線端末により、前記アクセスポイントからの電波を受信しこの電波よりアクセスポイントＩＤを取り出すステップと、
前記無線端末に予め備えた読み取り装置により、前記アクセスポイントの周辺に設置したバーコードを読み取りこのバーコードから前記無線ＬＡＮへ接続するための設定情報を取り出すステップと、
前記無線端末により、前記設定情報と前記アクセスポイントＩＤとを前記アクセスポイントに送信し前記アクセスポイントから前記無線ＬＡＮへの接続承認信号を受信するステップと、
を含んで構成されている。
【００２７】
本発明の第４の無線ＬＡＮ接続方法は、アクセスポイントを介して無線ＬＡＮに無線端末を接続する無線ＬＡＮ接続方法において、
前記無線端末により、前記アクセスポイントからの電波を受信しこの電波よりアクセスポイントＩＤを取り出すステップと、
前記無線端末に予め備えた読み取り装置により、前記アクセスポイントの周辺に設置したラジオフリークェンシーＩＤタグ（ＲＦーＩＤタグ）を読み取りこのＲＦーＩＤタグから前記無線ＬＡＮへ接続するための設定情報を取り出すステップと、
前記無線端末により、前記設定情報と前記アクセスポイントＩＤとを前記アクセスポイントに送信し前記アクセスポイントから前記無線ＬＡＮへの接続承認信号を受信するステップと、
を含んで構成されている。
【発明の効果】
【００２８】
本発明によれば、設定情報配布サーバにより、無線ＬＡＮへ接続するための設定情報を送信し、無線端末により、アクセスポイントからの電波を受信しこの電波よりアクセスポイントＩＤを取り出すとともに設定情報配布サーバより設定情報を受信し、この設定情報とアクセスポイントＩＤとをアクセスポイントに送信しこのアクセスポイントから無線ＬＡＮへの接続承認信号を受信するため、無線端末を無線ＬＡＮに接続するために必要な手間が掛からず煩わしくない。
【００２９】
また、本発明によれば、設定情報解読サーバにより、無線端末より無線端末ＩＤと暗号化設定情報とを受信し、無線端末ＩＤにより無線端末を認証し、認証された場合、暗号化設定情報を復号化して無線端末に送信し、無線端末により、設定情報配布サーバより受信した暗号化設定情報と予め有する無線端末ＩＤとを設定情報解読サーバに送信しこの設定情報解読サーバより復号化された設定情報を受信するため、無線端末を認証することができる。
【００３０】
更に、本発明によれば、前記設定情報解読サーバにより、設定情報を公開鍵により暗号化した暗号化設定情報を受け、この暗号化設定情報を公開鍵に対応する秘密鍵を使用して復号化しこれを無線端末に送るため、設定情報を安全に配布できる。
【発明を実施するための最良の形態】
【００３１】
次に、本発明の実施の形態について図面を参照して説明する。
【００３２】
図１は、本発明の無線ＬＡＮ接続システムの第１の実施の形態を示すブロック図である。
【００３３】
図１に示す本実施の形態は、無線によりアクセスポイント３を介して無線ＬＡＮ４へ接続する無線端末１と、無線ＬＡＮ４へ接続するための設定情報を常に送信している設定情報配布サーバ２とにより構成する。
【００３４】
設定情報配布サーバ２はアクセスポイント３、無線ＬＡＮ４の近傍に配置する。
【００３５】
設定情報配布サーバ２と無線端末１とは、赤外線通信、ブルートゥース（登録商標）等の近距離無線通信により接続する。
【００３６】
設定情報は、例えば、アクセスポイント３が無線端末１を無線ＬＡＮ４へ接続するときに使用するセキュリティ暗号化の鍵（ＷＥＰ（Ｗｉｒｅｄ  Ｅｑｕｉｖａｌｅｎｔ  Ｐｒｉｖａｃｙ） キー）等である。
【００３７】
無線端末１は、携帯電話、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）等の移動可能な端末であり、アクセスポイント３からの電波を受信しこの電波よりアクセスポイントＩＤを取り出すとともに設定情報配布サーバ２より設定情報を受信し、この設定情報とアクセスポイントＩＤとをアクセスポイント３に送信しアクセスポイント３から無線ＬＡＮ４への接続承認信号を受信する。
【００３８】
アクセスポイントＩＤは、アクセスポイント固有の識別子であり、例えば、文字列を示すＥＳＳーＩＤ（Ｅｘｔｅｎｄｅｄ  Ｓｅｒｖｉｃｅ  Ｓｅｔ  Ｉｄｅｎｔｉｆｉｅｒ）等である。
【００３９】
アクセスポイント３は、アクセスポイントＩＤを含む電波を常に送信し、無線端末１からアクセスポイントＩＤと設定情報とを受けこの設定情報を使用して無線ＬＡＮ４に接続し、無線端末１に無線ＬＡＮ４への接続承認信号を送信する。
【００４０】
無線端末１は、操作手段１１と、制御手段１２と、設定情報入手手段１３と、データベース１４とにより構成する。
【００４１】
操作手段１１は、ユーザより無線ＬＡＮ４への接続を指示する操作を受ける。
【００４２】
設定情報入手手段１３は、設定情報配布サーバ２より設定情報を受信する。
【００４３】
データベース１４は、アクセスポイントＩＤに対応させて設定情報を格納している。
【００４４】
制御手段１２は、操作手段１１が無線ＬＡＮ４への接続を指示する操作を受けると、アクセスポイント３からの電波を受信しこの電波よりアクセスポイントＩＤを取り出し、データベース１４にこのアクセスポイントＩＤに対応した設定情報が格納されているか否かを調べる。格納されているときにはこの設定情報を取り出し、格納されていないときには設定情報入手手段１３から設定情報を受ける。そして、この設定情報とアクセスポイントＩＤとをアクセスポイント３に送信しアクセスポイント３から無線ＬＡＮ４への接続承認信号を受信する。
【００４５】
接続承認信号を受信すると、無線端末１は、無線ＬＡＮ４に接続され、この無線端末１からの信号を無線ＬＡＮ４に送信し、無線ＬＡＮ４から信号を無線端末１に受信することができるようになる。
【００４６】
次に、本実施の形態の無線ＬＡＮ接続システムの動作を図２を参照して詳細に説明する。
【００４７】
図２は、本発明の実施の形態の動作の一例を示すフローチャートである。
【００４８】
図１において、図２のステップ２１では、無線端末１のユーザが、無線端末１をアクセスポイント３を介してホットスポットネットワーク（無線ＬＡＮ４）に接続することを希望して操作手段１１を操作すると、操作手段１１は操作信号を出力する。
【００４９】
図２のステップ２２では、制御手段１２により、操作手段１１が出力した操作信号を受けこの信号が無線ＬＡＮ４への接続を指示する信号のときに、アクセスポイント３が常時送信しているアクセスポイントＩＤを含む電波を受信する（すなわち、近くのアクセスポイント３をサーチする）。そして、この電波よりアクセスポイントＩＤを取り出す。
【００５０】
図２のステップ２３では、制御手段１２により、ステップ２２で取り出したアクセスポイントＩＤに対応した設定情報がデータベース１４に格納されているか否かを調べ、格納されているときには、制御手段１２は、この設定情報をデータベース１４より取り出しステップ２５へ続ける。アクセスポイントＩＤに対応した設定情報がデータベース１４に格納されていないときには、ステップ２４へと続ける。
【００５１】
図２のステップ２４では、ユーザは無線端末１を設定情報配布サーバ２に接近させ、無線端末１は設定情報入手手段１３により、設定情報配布サーバ２が常時送信している設定情報を受け、この設定情報をアクセスポイントＩＤに対応させてデータベース１４に格納する。
【００５２】
図２のステップ２５では、制御手段１２により、この設定情報とアクセスポイントＩＤとをアクセスポイント３に送る。
【００５３】
図２のステップ２６では、アクセスポイント３は、アクセスポイントＩＤと設定情報とを受け、この設定情報を使用して接続認証をし、接続認証ができたときに無線端末１を無線ＬＡＮ４に接続し、無線端末１に接続承認信号を送る。
【００５４】
図２のステップ２７では、制御手段１２により、アクセスポイント３から接続承認信号を受ける。これにより、無線端末１は、アクセスポイント３経由で無線ＬＡＮ４に接続され、以後、ネットワークサービスを受けることができる。 
図３は、本発明の無線ＬＡＮ接続システムの第２の実施の形態を示すブロック図である。
【００５５】
第２の実施の形態において、第１の実施の形態と同等の構成要素には同じ符号及び名称を付し説明を省略する。
【００５６】
図３に示す本実施の形態は、無線によりアクセスポイント３を介して無線ＬＡＮ４へ接続する無線端末５と、無線ＬＡＮ４へ接続するための設定情報を暗号化した暗号化設定情報を常に送信している設定情報配布サーバ６と、携帯電話網等の無線ＬＡＮ４とは異なるネットワークを介して無線端末５と接続し暗号化設定情報を公開鍵に対応する秘密鍵により復号化して解読し無線端末５に送る設定情報解読サーバ７とにより構成する。
【００５７】
秘密鍵は、設定情報解読サーバ７のみが備え、このサーバのみが暗号化設定情報をこの秘密鍵により復号化することができる。このため、設定情報をより安全に配布することが可能となる。
【００５８】
設定情報配布サーバ６は、公開鍵により設定情報を暗号化した暗号化設定情報を送信している。
【００５９】
設定情報配布サーバ６はアクセスポイント３、無線ＬＡＮ４の近傍に配置する。
【００６０】
設定情報配布サーバ６と無線端末５とは、赤外線通信、ブルートゥース等の近距離通信により接続する。
【００６１】
無線端末５は、移動可能な端末であり、アクセスポイント３からの電波を受信しこの電波よりアクセスポイントＩＤを取り出すとともに設定情報配布サーバ６より暗号化設定情報を受信し、この暗号化設定情報を設定情報解読サーバ７に送り設定情報解読サーバ７より設定情報を受け、この設定情報とアクセスポイントＩＤとをアクセスポイント３に送信しアクセスポイント３から無線ＬＡＮ４への接続承認信号を受信する。
【００６２】
無線端末５は、操作手段１１と、制御手段５１と、設定情報入手手段５２と、データベース１４と、記憶手段５３とにより構成する。
【００６３】
設定情報入手手段５２は、設定情報配布サーバ６より暗号化設定情報を受信する。
【００６４】
記憶手段５３は、無線端末固有の識別子である無線端末ＩＤを格納している。
【００６５】
制御手段５１は、操作手段１１が無線ＬＡＮ４への接続を指示する操作を受けると、アクセスポイント３からの電波を受信しこの電波よりアクセスポイントＩＤを取り出し、データベース１４にこのアクセスポイントＩＤに対応した設定情報が格納されているか否かを調べる。格納されているときにはこの設定情報を取り出し、格納されていないときには設定情報入手手段５２から暗号化設定情報を受け、記憶手段５３より取り出した無線端末ＩＤとともに設定情報解読サーバ７に送り、設定情報解読サーバ７より設定情報を受ける。そして、この設定情報とアクセスポイントＩＤとをアクセスポイント３に送信しアクセスポイント３から無線ＬＡＮ４への接続承認信号を受信する。
【００６６】
接続承認信号を受信すると、無線端末５は、無線ＬＡＮ４に接続され、この無線端末５からの信号を無線ＬＡＮ４に送信し、無線ＬＡＮ４から信号を無線端末５に受信することができるようになる。
【００６７】
次に、本実施の形態の無線ＬＡＮ接続システムの動作を図４を参照して詳細に説明する。
【００６８】
図４は、本発明の実施の形態の動作の一例を示すフローチャートである。
【００６９】
図３において、図４のステップ４１では、無線端末５のユーザが、無線端末５をアクセスポイント３を介して無線ＬＡＮ４に接続することを希望して操作手段１１を操作すると、操作手段１１は操作信号を出力する。
【００７０】
図４のステップ４２では、制御手段５１により、操作手段１１が出力した操作信号を受けこの信号が無線ＬＡＮ４への接続を指示する信号のときに、アクセスポイント３が常時送信しているアクセスポイントＩＤを含む電波を受信する。そして、この電波よりアクセスポイントＩＤを取り出す。
【００７１】
図４のステップ４３では、制御手段５１により、ステップ４２で取り出したアクセスポイントＩＤに対応した設定情報がデータベース１４に格納されているか否かを調べ、格納されているときには、制御手段５１は、この設定情報をデータベース１４より取り出しステップ４８へ続ける。アクセスポイントＩＤに対応した設定情報がデータベース１４に格納されていないときには、ステップ４４へと続ける。
【００７２】
図４のステップ４４では、ユーザは無線端末５を設定情報配布サーバ６に接近させ、無線端末５は設定情報入手手段５２により、設定情報配布サーバ６が常時送信している暗号化設定情報を受ける。
【００７３】
図４のステップ４５では、制御手段５１により、記憶手段５３より無線端末ＩＤを取り出しこの無線端末ＩＤと暗号化設定情報とをネットワークを介して設定情報解読サーバ７に送信する。
【００７４】
図４のステップ４６では、設定情報解読サーバ７は、無線端末ＩＤと暗号化設定情報とを受け、この無線端末ＩＤが予め設定情報解読サーバ７内に格納されているか否かを調べてこの無線端末５を認証し、認証されたときに、設定情報を暗号化したときに使用した公開鍵に対応する秘密鍵を使用して暗号化設定情報を復号化して解読し、この復号化された設定情報を無線端末５にネットワークを介して送信する。
【００７５】
図４のステップ４７では、制御手段５１により、設定情報解読サーバ７が送信した設定情報を受信し、この設定情報をアクセスポイントＩＤに対応させてデータベース１４に格納する。
【００７６】
図４のステップ４８では、制御手段５１により、この設定情報とアクセスポイントＩＤとをアクセスポイント３に送る。
【００７７】
図４のステップ４９では、アクセスポイント３は、アクセスポイントＩＤと設定情報とを受け、この設定情報を使用して接続認証をし、接続認証ができたときに無線端末５を無線ＬＡＮ４に接続し、無線端末５に接続承認信号を送る。
【００７８】
図４のステップ５０では、制御手段５１により、アクセスポイント３から接続承認信号を受ける。これにより、無線端末５は、アクセスポイント３経由で無線ＬＡＮ４に接続され、以後、ネットワークサービスを受けることができる。 
図５は、本発明の無線ＬＡＮ接続システムの第３の実施の形態を示すブロック図である。
【００７９】
第３の実施の形態において、第１の実施の形態と同等の構成要素には同じ符号及び名称を付し説明を省略する。
【００８０】
図５に示す本実施の形態は、無線によりアクセスポイント３を介して無線ＬＡＮ４へ接続する無線端末８と、無線ＬＡＮ４へ接続するための設定情報を有する例えば二次元のバーコード又はＲＦーＩＤタグ９（ラジオフリークェンシーＩＤタグ）とにより構成する。
【００８１】
バーコード又はＲＦーＩＤタグ９は、アクセスポイント３の周辺に配置する。
【００８２】
無線端末８は、移動可能な端末であり、アクセスポイント３からの電波を受信しこの電波よりアクセスポイントＩＤを取り出すとともに、バーコード又はＲＦーＩＤタグ９から設定情報を読み取り、この設定情報とアクセスポイントＩＤとをアクセスポイント３に送信しアクセスポイント３から無線ＬＡＮ４への接続承認信号を受信する。
【００８３】
無線端末８は、操作手段１１と、制御手段８１と、設定情報入手手段８２と、データベース１４とにより構成する。
【００８４】
設定情報入手手段８２は、バーコード読み取り装置（例えば、カメラ、スキャナ等）又はＲＦーＩＤタグ読み取り装置（例えば、無線読み取り装置）であり、バーコード又はＲＦーＩＤタグ９から設定情報を読み取る。
【００８５】
制御手段８１は、操作手段１１が無線ＬＡＮ４への接続を指示する操作を受けると、アクセスポイント３からの電波を受信しこの電波よりアクセスポイントＩＤを取り出し、データベース１４にこのアクセスポイントＩＤに対応した設定情報が格納されているか否かを調べる。格納されているときにはこの設定情報を取り出し、格納されていないときには設定情報入手手段８２から設定情報を受ける。そして、この設定情報とアクセスポイントＩＤとをアクセスポイント３に送信しアクセスポイント３から無線ＬＡＮ４への接続承認信号を受信する。
【００８６】
接続承認信号を受信すると、無線端末８は、無線ＬＡＮ４に接続され、この無線端末８からの信号を無線ＬＡＮ４に送信し、無線ＬＡＮ４から信号を無線端末８に受信することができるようになる。
【００８７】
次に、本実施の形態の無線ＬＡＮ接続システムの動作を図６を参照して詳細に説明する。
【００８８】
図６は、本発明の実施の形態の動作の一例を示すフローチャートである。
【００８９】
図６の各ステップは、図２のステップ２４に対応するステップ６４を除いて、図２の各ステップと同じであるので、このステップ６４のみについて記載する。
【００９０】
図６のステップ６４では、ユーザの操作により、無線端末８の設定情報入手手段８２は、バーコード又はＲＦーＩＤタグ９から設定情報を読み取り、制御手段８１はこの設定情報をアクセスポイントＩＤに対応させてデータベース１４に格納する。
【００９１】
図６のステップ６１からステップ６７により、無線端末８は、アクセスポイント３経由で無線ＬＡＮ４に接続され、以後、ネットワークサービスを受けることができる。 
図７は、本発明の無線ＬＡＮ接続システムの第４の実施の形態を示すブロック図である。
【００９２】
第４の実施の形態において、第１、第２及び第３の実施の形態と同等の構成要素には同じ符号及び名称を付し説明を省略する。
【００９３】
図７に示す本実施の形態は、無線によりアクセスポイント３を介して無線ＬＡＮ４へ接続する無線端末１０と、無線ＬＡＮ４へ接続するための設定情報を暗号化した暗号化設定情報を有するバーコード又はＲＦーＩＤタグ９と、携帯電話網等の無線ＬＡＮ４とは異なるネットワークを介して無線端末１０と接続し暗号化設定情報を秘密鍵により復号化して無線端末１０に送る設定情報解読サーバ７とにより構成する。
【００９４】
バーコード又はＲＦーＩＤタグ９は、公開鍵により設定情報を暗号化した暗号化設定情報を有する。
【００９５】
無線端末１０は、移動可能な端末であり、アクセスポイント３からの電波を受信しこの電波よりアクセスポイントＩＤを取り出すとともに、バーコード又はＲＦーＩＤタグ９から暗号化設定情報を読み取り、この暗号化設定情報を設定情報解読サーバ７に送り設定情報解読サーバ７より設定情報を受け、この設定情報とアクセスポイントＩＤとをアクセスポイント３に送信しアクセスポイント３から無線ＬＡＮ４への接続承認信号を受信する。
【００９６】
無線端末１０は、操作手段１１と、制御手段１０１と、設定情報入手手段８２と、データベース１４と、記憶手段５３とにより構成する。
【００９７】
制御手段１０１は、操作手段１１が無線ＬＡＮ４への接続を指示する操作を受けると、アクセスポイント３からの電波を受信しこの電波よりアクセスポイントＩＤを取り出し、データベース１４にこのアクセスポイントＩＤに対応した設定情報が格納されているか否かを調べる。格納されているときにはこの設定情報を取り出し、格納されていないときには設定情報入手手段８２から暗号化設定情報を受け、記憶手段５３より取り出した無線端末ＩＤとともに設定情報解読サーバ７に送り、設定情報解読サーバ７より設定情報を受ける。そして、この設定情報とアクセスポイントＩＤとをアクセスポイント３に送信しアクセスポイント３から無線ＬＡＮ４への接続承認信号を受信する。
【００９８】
接続承認信号を受信すると、無線端末１０は、無線ＬＡＮ４に接続され、この無線端末１０からの信号を無線ＬＡＮ４に送信し、無線ＬＡＮ４から信号を無線端末１０に受信することができるようになる。
【００９９】
次に、本実施の形態の無線ＬＡＮ接続システムの動作を図７を参照して詳細に説明する。
【０１００】
図８は、本発明の実施の形態の動作の一例を示すフローチャートである。
【０１０１】
図８の各ステップは、図４のステップ４４に対応するステップ８４を除いて、図４の各ステップと同じであるので、このステップ８４のみについて記載する。
【０１０２】
図８のステップ８４では、ユーザの操作により、無線端末１０の設定情報入手手段８２は、バーコード又はＲＦーＩＤタグ９から暗号化設定情報を読み取る。
【０１０３】
図８のステップ８１からステップ９０により、無線端末１０は、アクセスポイント３経由で無線ＬＡＮ４に接続され、以後、ネットワークサービスを受けることができる。 
【図面の簡単な説明】
【０１０４】
【図１】本発明の無線ＬＡＮ接続システムの第１の実施の形態を示すブロック図である。
【図２】本発明の第１の実施の形態の動作の一例を示すフローチャートである。
【図３】本発明の無線ＬＡＮ接続システムの第２の実施の形態を示すブロック図である。
【図４】本発明の第２の実施の形態の動作の一例を示すフローチャートである。
【図５】本発明の無線ＬＡＮ接続システムの第３の実施の形態を示すブロック図である。
【図６】本発明の第３の実施の形態の動作の一例を示すフローチャートである。
【図７】本発明の無線ＬＡＮ接続システムの第４の実施の形態を示すブロック図である。
【図８】本発明の第４の実施の形態の動作の一例を示すフローチャートである。
【符号の説明】
【０１０５】
１    無線端末
２    設定情報配布サーバ
３    アクセスポイント
４    無線ＬＡＮ
５    無線端末
６    設定情報配布サーバ
７    設定情報解読サーバ
８    無線端末
９    バーコード又はＲＦーＩＤタグ
１０    無線端末
１１    操作手段
１２    制御手段
１３    設定情報入手手段
１４    データベース
５１    制御手段
５２    設定情報入手手段
５３    記憶手段
８１    制御手段
８２    設定情報入手手段
１０１    制御手段
【図１】
2005065018.tif 000003
【図２】
2005065018.tif 000004
【図３】
2005065018.tif 000005
【図４】
2005065018.tif 000006
【図５】
2005065018.tif 000007
【図６】
2005065018.tif 000008
【図７】
2005065018.tif 000009
【図８】
2005065018.tif 000010